(57)【要約】【課題】  ＰＣ鋼材の定着具をプレストレストコンクリート構造体に埋設して定着する構造において、ＰＣ鋼材に定着具部品を装着して、コンクリート打設時のコンクリートがシースに流入しないようにする。【解決手段】  ＰＣ鋼材２の一端部を定着プレート４とした定着具１である。プレストレストコンクリート構造物体に埋設して定着する。シース１４の一端から放射状に配置されたＰＣ鋼材２に装着される合成樹脂製の定着具部品７である。外周面から中心部に向かって放射状にＰＣ鋼材２を挿通するＵ溝８を設ける。【選択図】  図１
0003108967.tif 000002
【実用新案登録請求の範囲】
【請求項１】
ＰＣ鋼材の一端部を定着プレートとした定着具をプレストレストコンクリート構造物体に埋設して定着する構造において、シースの一端から放射状に配置されたＰＣ鋼材に装着される合成樹脂製の定着具部品であって、外周面から中心部に向かって放射状にＰＣ鋼材を挿通するＵ溝を設けたことを特徴とするコンクリート流入阻止具。
【請求項２】
前記定着具部品は、ポリプロピレンで元端から先端になるにつれて除々に外径が小径になるテーパー状に形成されている請求項１に記載のコンクリート流入阻止具。
【請求項３】
前記Ｕ溝は、定着具部品の外周面から中心部に向かって放射状に７個設け、その各Ｕ溝の深さが全て同一深さであり、上部中央のＵ溝と下部左下のＵ溝を合成樹脂ダミー膜で封鎖してある請求項１または請求項２に記載のコンクリート流入阻止具。
【請求項４】
前記Ｕ溝は、定着具部品の外周面から中心部に向かって放射状に１０個設け、上部中央のＵ溝と下部中央のＵ溝の深さを他のＵ溝深さの倍にしてあると共に、その上部中央のＵ溝と下部中央のＵ溝を合成樹脂ダミー膜で封鎖してある請求項１または２に記載のコンクリート流入阻止具。
【考案の詳細な説明】
【技術分野】
【０００１】
本考案は、ＰＣ鋼材の定着具をプレストレストコンクリート構造体に埋設して定着する構造において、ＰＣ鋼材に取付けられる定着具部品に関するものであり、さらに詳しくは、定着具部品に設けたＵ溝にＰＣ鋼材を挿通嵌合し、コンクリート打設時にコンクリートがシース内に流入しないようにするコンクリート流入阻止具に関するものである。
【背景技術】
【０００２】
従来から、例えばプレストレストコンクリート梁などのコンクリート構造体においては、一般的に、構築時コンクリートの引っ張り強度を補うように、ＰＣ鋼材による圧縮のプレストレスを与える施工が施されている。そのＰＣ鋼材をコンクリート構造体の中で定着する方法として定着具による定着がある。
【０００３】
その定着具の定着方法の一つに、ＰＣ鋼材をシース端から放射状に配置しコンクリートの付着とＰＣ鋼材先端の定着プレートで定着する方法が知られている。この定着方法において、コンクリート構造体の内部に予めシースを配置しておき、このシース内にＰＣ鋼材を挿入している。
【０００４】
そして、コンクリートを打設するのであるが、シースとＰＣ鋼材との間に隙間があることから、図１２に示すように、コンクリートＣがシース２１内に流入することになる。それを防ぐために、施工現場において、隙間にレジンモルタルやスポンジ、綿などを詰めて密閉してコンクリートＣがシース２１に流入しないように工夫をしていた（特許文献なし）。
【考案の開示】
【考案が解決しようとする課題】
【０００５】
しかしながら、上記のレジンモルタルやスポンジ、綿などで隙間を封止してコンクリートが流入しないようにするには手作業で各々の隙間を封止しなければならず、非常に手間がかかると共に作業効率が悪かった。また、手によって隙間を封止するから、指や手がＰＣ鋼材に当り傷つけると言ったことがあった。さらに、隙間は完全に封鎖できないことから、コンクリートが流入するといった問題点があった。
【０００６】
本考案は、上記の問題点を解決することを課題として開発されたもので、ＰＣ鋼材の定着具をプレストレストコンクリート構造体に埋設して定着する構造において、ＰＣ鋼材に定着具部品を装着して、コンクリート打設時のコンクリートがシースに流入しないようにするコンクリート流入阻止具を提供することを目的とするものである。
【課題を解決するための手段】
【０００７】
上記の課題を解決し、その目的を達成する手段として、本考案は、ＰＣ鋼材の一端部を定着プレートとした定着具をプレストレストコンクリート構造物体に埋設して定着する構造において、シースの一端から放射状に配置されたＰＣ鋼材に装着される合成樹脂製の定着具部品であって、外周面から中心部に向かって放射状にＰＣ鋼材を挿通するＵ溝を設けたことを特徴とするコンクリート流入阻止具を開発し、採用した。
【０００８】
また、上記のように構成したコンクリート流入阻止具において、前記定着具部品は、ポリプロピレンで元端から先端になるにつれて徐々に外径が小径になるテーパー状に形成されているコンクリート流入阻止具、および前記Ｕ溝は、定着具部品の外周面から中心部に向かって放射状に７個設け、その各Ｕ溝の深さが全て同一深さであり、上部中央のＵ溝と下部左下のＵ溝を合成樹脂ダミー膜で封鎖してあるコンクリート流入阻止具、および前記Ｕ溝は、定着具部品の外周面から中心部に向かって放射状に１０個設け、上部中央のＵ溝と下部中央のＵ溝の深さを他のＵ溝深さの倍にしてあると共に、その上部中央のＵ溝と下部中央のＵ溝を合成樹脂ダミー膜で封鎖してあるコンクリート流入阻止具を開発し、採用した。
【考案の効果】
【０００９】
本考案は、定着具部品に設けたＵ溝にＰＣ鋼線を挿通嵌合し、ＰＣ鋼材の外径とＵ溝の内径が密着して隙間がなくなって、コンクリート打設時にコンクリートがシースへ流入しなくなり現場で簡単にコンクリートの流入止め作業ができ作業性が向上する。また、コンクリート流入防止による緊張の確実性を確保できる。
【００１０】
また、定着具部品がポリプロピレンの合成樹脂であり、元端から先端になるにつれて除々に外径が小径になるテーパー状に形成されているから、ＰＣ鋼材との装着時において滑りが良くＵ溝への挿通が容易になる。
【００１１】
さらに、定着具部品の外周面には７個または１０個のＵ溝を放射状に形成してあるから、弾性変形に富むと共に、定着具部品の材料自体のもつ弾力性と相俟っＰＣ鋼材が定着具部品に取付けやすくなる。
【００１２】
また、Ｕ溝７個の定着具部品は、上部中央のＵ溝と下部左下のＵ溝との２個のＵ溝を合成樹脂ダミー膜で封鎖されているから、５〜７本のＰＣ鋼材に使用でき、ＰＣ鋼材の本数によって封鎖された溝の合成樹脂ダミー膜を剥がすことにより素早く対応できる便利さがある。さらに、Ｕ溝が１０個の定着具は、上部中央のＵ溝と下部中央のＵ溝を合成樹脂ダミー膜で封鎖されているから、８〜１２本のＰＣ鋼材に使用でき、ＰＣ鋼材の本数によって封鎖された溝の合成樹脂ダミー膜を剥がすことで素早く対応できる便利さがある。
【考案を実施するための最良の形態】
【００１３】
以下に、本考案の実施の形態を添付図面に基づいて説明すれば、１は圧着グリップ式の定着具であり、ＰＣ鋼材２の先端部に圧着グリップ３を取付け、そのＰＣ鋼材２を定着プレート４に挿通し、圧着グリップ３から突出しているＰＣ鋼材２の端部を固定板５の透孔に嵌挿し、その固定板５に挿通した固定用ボルト６を定着プレート４に螺合した構造のものである。
【００１４】
７はポリプロピレン樹脂により型成形された定着具部品であり、外周面から中心部に向かって放射状に、かつ全長にわたってＵ溝８を７個設けてある。この定着具部品７は、元端から先端になるにつれて徐々に外径が小径になるテーパー状に形成されており、中心部には７角形の貫通孔９が穿設されていて、その貫通孔９の中間部にポリプロピレンの中間封鎖膜１０で貫通孔９が封鎖されている。
【００１５】
定着具部品７の外周面に設けたＵ溝８の内の、上部中央に位置するＵ溝８ａおよび下部左下に位置するＵ溝８ｂの元端側にはポリプロピレン製の薄いダミー膜１１，１１を一体的に張設してＵ溝８ａとＵ溝８ｂを封鎖してある。Ｕ溝８はＰＣ鋼材２が嵌り、図８に示すように、ＰＣ鋼材２の外径とＵ溝８の内径とが密着して隙間なく嵌合し、コンクリートが漏れ出ないようになっている。
【００１６】
このように構成した本考案の使用状態を、図３〜図７に基づいて、ＰＣ鋼材２が７本の例で、作用効果と共に説明すると、ＰＣ鋼材２が放射状となる基端部の近傍に定着具部品７を配する。ＰＣ鋼材２が７本であるから、元端側の上部中央のＵ溝８ａと下部左下のＵ溝８ｂを封鎖しているポリプロピレンダミー膜１１，１１を剥離し、そのＵ溝８ａとＵ溝８ｂを封止のないＵ溝とし、各ＰＣ鋼材２を７個の各Ｕ溝８に挿通してＰＣ鋼材２に取付ける（図３）。
【００１７】
この時、定着具部品７は元端から先端に向かって除々に外径を小径にしたテーパー状に形成されているから、放射状のＰＣ鋼材２に取付けやすく、また、外周面に７個のＵ溝８を設けてあり、そのＵ溝８は全長に亘って形成されているから、弾性変形に富み、ＰＣ鋼材２との挿通嵌合が容易になる。さらに、ポリエチレン製であるから滑りが良くＰＣ鋼材２が定着具部品７のＵ溝８にスムーズに入る。
【００１８】
つぎに、ＰＣ鋼材２の結束部の付近に挿通されている締結環１２を、定着具部品７の位置まで移動させ定着具部品７の中央部にセットし締結する（図４）。その後、結束線１３などを締結環１２の前後のＰＣ鋼材２に渡し、締結環１２と定着具部品７が移動しないように２〜３箇所結束する（図５）。結束することにより、締結環１２が移動しなく、定着具部品７と分離せずコンクリート流入を阻止する。
【００１９】
ＰＣ鋼材２を梁の内部に配置したシース１４に挿入し、シース１４の一端部に固定定着具部品１５をセットする（図６）。シース１４と締結環１２を粘着テープ１６で固定する（図７）。この状態でコンクリートを打設すると、ＰＣ鋼材２の外径と定着具部品７のＵ溝８の内径が密着し、隙間がないことからコンクリートはシース１１に進入することなく阻止されるものである。
【００２０】
図９〜図１１に示すのは本考案の第２実施の形態を示しており、前記第１実施の形態と相違しているのは、Ｕ溝８を１０個形成した点と、上部中央のＵ溝８ａと、下部中央のＵ溝８ｃの深さを深く形成した点と、その上部中央のＵ溝８ａと下部中央のＵ溝８ｃに合成樹脂ダミー膜１１，１１、１１，１１を設けて封鎖した点であって、その他の構造には相違するところがないので、同一部分には同一符号を付してある。
【００２１】
すなわち、定着具部品７の外周面から中心部に向かって放射状のＵ溝８を１０個設けてあり、上部中央のＵ溝８ａと、下部中央のＵ溝８ｃを他のＵ溝８より倍の深さに形成してある。この上部中央のＵ溝８ａと下部中央のＵ溝８ｃの元端側にポリプロピレンダミー膜１１，１１、１１，１１を設けて封鎖してある。そして、ＰＣ鋼材２の本数によって合成樹脂膜１１を剥がして、ＰＣ鋼材２を縦方向に適宜本数収容するものである。このＵ溝８はＰＣ鋼材２，２が嵌り、Ｕ溝８の内径とＰＣ鋼材２の外径が密着して隙間がなく嵌合しているのは前記実施の形態１と同様である。
【００２２】
この第２実施の形態によれば、ＰＣ鋼材２が８〜１２本の場合に適用することができ、例えば、ＰＣ鋼材２が１２本の場合には、図１１に示すように、上下部中央のＵ溝８ａ，８ｃに設けてある合成樹脂ダミー膜１１，１１、１１，１１の４枚を剥がし、ＰＣ鋼材２，２を縦方向に２本ずつ収容すると共に、他のＵ溝８に１本のＰＣ鋼材２を収容して使用するものである。また、仮にＰＣ鋼材が１１本の場合は、上下部中央のＵ溝８ａ，８ｃに設けてある合成樹脂ダミー膜１１，１１、１１，１１の内の１枚を剥がし、その剥がしたＵ溝にＰＣ鋼材２を入れ、他の合成樹脂ダミー膜１１，１１，１１はダミー膜として使用すれば、コンクリートがシースに流入しなくなる。
【００２３】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００２４】
本考案はプレストレストコンクリート梁に用いられるＰＣ鋼材の定着具だけでなく、スラブなどの建築構造体や橋、道路など各種のコンクリート構造物においても利用できる。
【図面の簡単な説明】
【００２５】
【図１】本考案の第１実施形態の元端から見た正面図である。
【図２】その側面図である。
【図３】ＰＣ鋼材に定着具部品を取付けた状態の側面図である。
【図４】締結環を定着具部品に嵌めた状態の側面図である。
【図５】結束紐で締結環と定着具部品を結束する状態の側面図である。
【図６】ＰＣ鋼材をシースに挿入した状態の側面図である。
【図７】シースと締結環を粘着テープで固定した状態の側面図である。
【図８】図３のＡ−Ａ線拡大断面図である。
【図９】本考案の第２実施形態の元端から見た正面図である。
【図１０】その側面図である。
【図１１】ＰＣ鋼材がＵ溝に嵌合した一例の断面図ある。
【図１２】従来例の縦断側面図である。
【符号の説明】
【００２６】
１    定着具  
２    ＰＣ鋼材
４    定着プレート
７    定着具部品
８    Ｕ溝
８ａ  上部中央Ｕ溝
８ｂ  下部左下Ｕ溝
８ｃ  下部中央Ｕ溝
１１  合成樹脂ダミー膜
１４  シース
【図１】
0003108967.tif 000003
【図２】
0003108967.tif 000004
【図３】
0003108967.tif 000005
【図４】
0003108967.tif 000006
【図５】
0003108967.tif 000007
【図６】
0003108967.tif 000008
【図７】
0003108967.tif 000009
【図８】
0003108967.tif 000010
【図９】
0003108967.tif 000011
【図１０】
0003108967.tif 000012
【図１１】
0003108967.tif 000013
【図１２】
0003108967.tif 000014